(57)【要約】【課題】安価な構成の扉ロック機構を提供することを目的とする。【解決手段】扉２を閉めた状態で差込口に鍵を差し込んでキーシリンダー３を回転させると、連結リンク２６が上昇して２つの挿通孔２６ａ、２６ｂの下辺によりスタッド１８を押し上げ、第１のロックブラケット１０と第２のブラケット１６の嵌合を解除すると共に第１のロックブラケット１０が係止溝１０ａから扉ロックポスト７ａ、７ｂを開放して扉２が開けるようロックを解除することを特徴とする。【選択図】図８
2011058187.tif 000002
【特許請求の範囲】
【請求項１】
回転により開閉する扉を有する筺体に設けられ、鍵の差込口が垂直または水平となっているときに鍵が抜き差し可能なキーシリンダーと、
前記扉の裏側に設けられた上下２つのロックポストと、
上部及び下部に挿通孔を有し、前記キーシリンダーの回転に連動して上下にスライド動作するように前記筺体に設けられた連結リンクと、
前記２つのロックポストと対応するように前記筺体に回転可能に２つ設けられ、それぞれ前記ロックポストが嵌まる係止溝を有する第１のロックブラケットと、
該２つの第１のロックブラケットと嵌合可能なように前記筺体に回転可能に２つ設けられ、それぞれ前記挿通孔に挿通するスタッドを有する第２のロックブラケットと、
前記第１のロックブラケットを上方に回転させるように付勢する第１の付勢手段と、
前記第２のロックブラケットを下方に回転させるように付勢する第２の付勢手段を備え、
前記各第１のロックブラケットと前記各第２のブラケットが嵌合しているとき前記スタッドが前記挿通孔の下辺に位置し、前記嵌合が解除されたとき前記スタッドが前記挿通孔の上辺に位置するように前記各挿通孔の縦方向の長さを定め、
前記扉を閉めた状態で前記差込口に鍵を差し込んで前記キーシリンダーを回転させると、前記連結リンクが上昇して２つの前記挿通孔の下辺により前記スタッドを押し上げ、前記第１のロックブラケットと第２のブラケットの嵌合を解除すると共に前記第１のロックブラケットが前記係止溝から前記扉ロックポストを開放して前記扉が開けるようロックを解除し、
前記扉を閉めて前記キーシリンダーを施錠する際、片方の前記第１のロックブラケットの係止溝に前記ロックポストが入り込まなかったとき、前記第２のロックブラケットのスタッドに挿通孔の上辺が当接して前記連結リンクが下降できず、前記差込口が傾いた状態のままで鍵が抜けないようにしたことを特徴とする扉ロック機構。
【請求項２】
請求項１記載の扉ロック機構において、
前記第１のロックブラケットの上部に嵌合凹部を設け、
前記第２のロックブラケットの下部に前記嵌合凹部に嵌合する嵌合凸部を設けことを特徴とする扉ロック機構。
【請求項３】
請求項１記載の扉ロック機構において、
前記第２の付勢手段は該第１の付勢手段より強い付勢力で前記第２のロックブラケット付勢することを特徴とする扉ロック機構。
【発明の詳細な説明】
【技術分野】
【０００１】
本発明は、自動取引装置に装填される補充回収カセットや紙幣収納カセット等の各種カセットの扉をロックする扉ロック機構に関する。
【背景技術】
【０００２】
従来の現金自動取引装置に装填されるカセットの扉に設けられた扉ロック機構は、通電状態の場合、扉を開錠するために所定のスイッチを操作することでソレノイドを作動させ、連動リンクを動かしてロックブラケットによる扉の係合を解除し、ロック解除レバーを手動により動かすことで扉が開放されるようにしている（例えば、特許文献１参照。）。
【先行技術文献】
【特許文献】
【０００３】
【特許文献１】特開平１０−２８０７５０号公報（段落「００１３」、図５）
【発明の開示】
【発明が解決しようとする課題】
【０００４】
しかしながら、上述した従来技術においては、ソレノイドを用いた構成であるためカセットに設ける扉ロック機構としては高価となり、実装させるためにはコストが掛かってしまうという問題がある。
【０００５】
そのためより安価な構成の扉ロック機構の実現が期待されている。
【０００６】
本発明は、上記の問題点を解決するための手段を提供することを目的とする。
【課題を解決するための手段】
【０００７】
本発明は、上記課題を解決するために、回転により開閉する扉を有する筺体に設けられ、鍵の差込口が垂直または水平となっているときに鍵が抜き差し可能なキーシリンダーと、前記扉の裏側に設けられた上下２つのロックポストと、上部及び下部に挿通孔を有し、前記キーシリンダーの回転に連動して上下にスライド動作するように前記筺体に設けられた連結リンクと、前記２つのロックポストと対応するように前記筺体に回転可能に２つ設けられ、それぞれ前記ロックポストが嵌まる係止溝を有する第１のロックブラケットと、該２つの第１のロックブラケットと嵌合可能なように前記筺体に回転可能に２つ設けられ、それぞれ前記挿通孔に挿通するスタッドを有する第２のロックブラケットと、前記第１のロックブラケットを上方に回転させるように付勢する第１の付勢手段と、前記第２のロックブラケットを下方に回転させるように付勢する第２の付勢手段を備え、前記各第１のロックブラケットと前記各第２のブラケットが嵌合しているとき前記スタッドが前記挿通孔の下辺に位置し、前記嵌合が解除されたとき前記スタッドが前記挿通孔の上辺に位置するように前記各挿通孔の縦方向の長さを定め、前記扉を閉めた状態で前記差込口に鍵を差し込んで前記キーシリンダーを回転させると、前記連結リンクが上昇して２つの前記挿通孔の下辺により前記スタッドを押し上げ、前記第１のロックブラケットと第２のブラケットの嵌合を解除すると共に前記第１のロックブラケットが前記係止溝から前記扉ロックポストを開放して前記扉が開けるようロックを解除し、前記扉を閉めて前記キーシリンダーを施錠する際、片方の前記第１のロックブラケットの係止溝に前記ロックポストが入り込まなかったとき、前記第２のロックブラケットのスタッドに挿通孔の上辺が当接して前記連結リンクが下降できず、前記差込口が傾いた状態のままで鍵が抜けないようにしたことを特徴とする。
【発明の効果】
【０００８】
これにより、本発明は、ソレノイドを用いず鍵による扉のロックおよびロックの解除を行なうため、安価に扉ロック機構を実現できるという効果が得られる。
【０００９】
また、機構の全てのロック機構部で扉側のスタッドを係止しないと、キーシリンダーの差込口に差し込まれた鍵が抜けないので、扉のロックをし忘れるという操作ミスを防止して、不正に紙幣が抜き取られてしまうことを防止できるという効果が得られる。
【図面の簡単な説明】
【００１０】
【図１】実施例１のカセットの概略斜視図
【図２】実施例１のカセットの扉が開いた状態の概略斜視図
【図３】扉を示す上面図
【図４】扉を裏側から見た概略斜視図
【図５】ロック機構部の構成を示す概略斜視図
【図６】ロック機構部の各部の位置を示す概略側面図
【図７】扉ロックポストがロック機構部によってロックされた状態を示す概略斜視図
【図８】キーシリンダーを示す概略斜視図
【図９】扉が閉まった状態を示す概略側面図
【図１０】扉を開けたときの様子を示す概略側面図
【図１１】扉が開かれてキーシリンダーから鍵が外されたときの扉ロック機構を示す説明図
【図１２】扉を開閉に伴う第１、第２のブラケットの動作を示す説明図
【図１３】扉が撓んだ様子を示す説明図
【図１４】実施例２の扉ロック機構を示す説明図
【図１５】実施例２の扉のロックを解除したときの扉ロック機構を示す説明図
【図１６】ロック解除のためにキーシリンダーを回転させた後の扉ロック機構を示す説明図
【図１７】下部のロック機構部のみがロックされた状態を示す概略側面図
【発明を実施するための最良の形態】
【００１１】
以下に、図面を参照して本発明による扉ロック機構の実施例について説明する。
【実施例１】
【００１２】
図１は実施例１のカセットの概略斜視図、図２は実施例１のカセットの扉が開いた状態の概略斜視図である。
【００１３】
１はカセット本体（筐体）であり、金融機関で用いられる現金自動取引装置の紙幣収納カセットや補充回収カセット等であり、扉２を有している。
【００１４】
２は扉であって、カセット本体１に図示しない回転支点により図２に示す矢印Ａ方向に回転自在に取り付けられている。３は扉２の施錠を解除するためのキーシリンダーであり、鍵の差込口（鍵穴）を有して扉２の回転支点と反対側に位置し、カセット本体１の高さ方向のほぼ中央付近に実装される。
【００１５】
なお、キーシリンダー３は差込口が垂直になっているときに鍵の抜き差しが可能に構成されている。
【００１６】
４はロック機構部であり、カセット本体１に実装され、扉２の回転支点と反対側に位置し、カセット本体１の上部と下部の２箇所に実装されている。
【００１７】
図３は扉を示す上面図、図４は扉を裏側から見た概略斜視図である。
【００１８】
図３、図４において、５ａ、５ｂは扉ロックポストユニットであり、扉に固定されたＬ字形状に形成したブラケット６ａ、６ｂと、該ブラケット６ａ、６ｂによって保持され回転支点軸８の軸方向に対して垂直に延びる扉ロックポスト７ａ、７ｂにより構成され、図４に示すように扉２の上部と下部とに１つずつ配置される。
【００１９】
図５はロック機構部の構成を示す概略斜視図である。
【００２０】
図５において、１０は第１のロックブラケットであり、扉ロックポスト７ａ、７ｂを係止するための係止溝１０ａを設けており、回転支点となる回転軸１１を介してベースブラケット１５に回転可能に固定されている。
【００２１】
１２はスタッドであり、第１のロックブラケット１０に取り付けられ、ベースブラケット１５に向かって延びている。
【００２２】
１６は第２のロックブラケットであり、第１のロックブラケット１０の直上に配置され、回転支点となる回転軸１７を介してベースブラケット１５に回転可能に固定されている。
【００２３】
１８はスタッドであり、第２のロックブラケット１６からベースブラケット１５を貫通して後述の挿通孔２６ａ、２６ｂに挿通する長さで形成される。
【００２４】
図５に示すように第１のロックブラケット１０は、第２のロックブラケット１６と対向する部分に嵌合凹部１０ｂが設けられており、一方第２のロックブラケット１６には上記嵌合凹部１０ｂに嵌まり込む嵌合凸部１６ａが設けられており、嵌合凹部１０ｂに嵌合凸部１６ａが嵌まり込み、第２のロックブラケット１６を回転しないよう固定すれば、第１のロックブラケット１０に回転力がかかっても、嵌合凸部１６ａが嵌合凹部１０ｂに嵌まっていて第１のロックブラケット１０の回転が規制される。
【００２５】
なお、嵌合凹部１０ｂに嵌合凸部１６ａが嵌まり込み、第１のロックブラケット１０の回転が規制されたときは、扉２の上部と下部に配されたそれぞれの係止溝１０ａに扉ロックポスト７ａあるいは扉ロックポスト７ｂが入り込んでおり、これによって扉２が施錠された状態となる。
【００２６】
また、第１のロックブラケット１０は、図５に示す嵌合凹部１０ｂの右側に凸部１０ｃを設け、一方第２のロックブラケット１６は図５に示す嵌合凸部１６ａの左側に凹部１６ｂを設けており、後述する扉２のロックが開いた状態の時には第１のロックブラケット１０の凸部１０ｃが第２のロックブラケット１６の凹部１６ｂに嵌まるように、第１、第２のロックブラケット１０、１６が共に回動するので、扉ロックポスト７ａ、７ｂが共に第１のロックブラケット１０の係止溝１０ａによる係止から開放される。
【００２７】
ベースブラケット１５は、コの字状の板金をもとにスタッド１２、１８が挿通する箇所に図示しない穴を設けることによって形成され、その穴は第１のロックブラケット１０および第２のロックブラケット１６が回転するのを妨げない程度の大きさであるものとする。
【００２８】
そのため、スタッド１２、１８は図５に示すベースブラケット１５の第１のロックブラケット１０、第２のロックブラケット１６を取り付けている側から反対側に貫通するようになっている。
【００２９】
また、ベースブラケット１５の第１のロックブラケット１０、第２のロックブラケット１６との対向面と反対側の面には図示しない突起が２箇所に設けられており、その内１箇所は第１のロックブラケット１０を取り付けている位置よりも下方に、もう１箇所は第２のロックブラケット１６が取り付けられている箇所の裏側でかつベースブラケット１５のコの字状に開口している端部の反対側の端部に設けられる。
【００３０】
ここで、図６はロック機構部の各部の位置を示す概略側面図である。
【００３１】
図６において、点線で示す２０は引張りスプリング（第２の付勢手段）で、２１は引張りスプリング（第１の付勢手段）であり、ともにベースブラケット１５の第１のロックブラケット１０と第２のロックブラケット１６を取り付けた面の裏側の面に配されている。
【００３２】
引張りスプリング２０は一端を第２のロックブラケット１６のスタッド１８に引掛け、他端は上述したベースブラケット１５の第１のロックブラケット１０を取り付けている位置よりも下方に設けられた図示しない突起に引掛けられる。
【００３３】
これによって、引張りスプリング２０は回転軸１７を回転支点にして、第２のロックブラケット１６を矢印Ｃ方向に回転させる付勢力を与えている。
【００３４】
引張りスプリング２１は、一端を第１のロックブラケット１０のスタッド１２に引掛け、他端は上述したベースブラケット１５の第２のロックブラケット１６が取り付けられている箇所の裏側でかつベースブラケット１５のコの字状に開口している端部の反対側の端部に設けられた図示しない突起に引掛けられる。
【００３５】
これによって引張りスプリング２１は回転軸１１を回転支点にして第１のロックブラケット１０を矢印Ｄ方向に回転させる付勢力を与えている。
【００３６】
なお、引張りスプリング２１の付勢力よりも、引張りスプリング２０の付勢力の方を大きく設定しており、これにより後述する第１のロックブラケット１０の嵌合凹部１０ｂに第２のロックブラケット１６の嵌合凸部１６ａが嵌合したときに、第２のロックブラケット１６が第１のロックブラケット１０が上方に回転するのを規制することができる。
【００３７】
図７は扉ロックポストがロック機構部によって施錠された状態を示す概略斜視図である。
【００３８】
上述した扉ロックポストユニット５ａ、５ｂと上記のロック機構部４は、扉２が閉められ施錠された状態のとき、図７に示すように扉ロックポスト７ａ、７ｂが第１のロックブラケット１０の係止溝１０ａに嵌合するようになり、これにより扉ロックポスト７ａ、７ｂが係止されるようになる。なお、扉ロックポスト７ａ、７ｂが係止溝１０ａに嵌まるまでの動作は後述する。
【００３９】
図８はキーシリンダーを示す概略斜視図である。
【００４０】
図８において、２５はキーリンクであり、一部に溝を形成したＵ字型であってキーシリンダー３に固定され、キーシリンダー３に鍵が差し込まれて回動した際にそのキーシリンダー３と共に回動する。
【００４１】
２６は連結リンクであり、カセット本体１の図示されないフレームに昇降可能に固定され、矢印Ｇ方向およびＨ方向（上下方向）に昇降可能に構成され、上部及び下部にそれぞれ挿通孔２６ａ、２６ｂを形成し、さらに挿通孔２６ａ、２６ｂが開いている面に対して直角に伸びる突出部２７を有する。
【００４２】
また、突出部２７にはキーシリンダー３が形成されている側に向かって、突出部２７の表面から垂直に延びるスタッド２８が形成され、そのスタッド２８はキーリンク２５のＵ字の溝に嵌まっており、キーリンク２５の回転に伴って押し上げられたり押し下げられたりする。
【００４３】
連結リンク２６は、キーシリンダー３の差込口が垂直となっているときに最下位に位置する。
【００４４】
３０はリンク引張スプリングであり、一端をキーリンク２５のキーシリンダー３に固定されている箇所の反対側に取り付け、他端を図示しないフレームに固定することで、キーリンク２５に対して図４に示す矢印Ｋ方向の力を作用させる。
【００４５】
また、図８に示すように連結リンク２６の上側の挿通孔２６ａには、上部に配されるロック機構部４の第２のロックブラケット１６のスタッド１８が挿通し、連結リンク２６の下側の挿通孔２６ｂには、下部に配されるロック機構部４の第２のロックブラケット１６のスタッド１８が挿通する。
【００４６】
次に動作について説明する。図９は扉が閉まった状態を示す概略側面図である。
【００４７】
図９では扉２の上側を示しているが、機構的には扉２の下側も同様な構造になっている。
【００４８】
なお、図９ではスタッド２８、キーシリンダー３、キーリンク２５の各部の向きを実際の向きから９０度回転させてロック機構部４と同じ向きで並べて示しているが、これは、スタッド２８、キーシリンダー３、キーリンク２５の向きや位置と、ロック機構部４との関係を明確にするためのものであり、以降に示す各図においても同様にして記載する。
【００４９】
図９では扉２が施錠された様子を示し、扉ロックポスト７ａは第１のロックブラケット１０の係止溝１０ａに入り込んでいる。このとき第１のロックブラケット１０は引張りスプリング２１によって図９の矢印Ｄ方向に示す回転力が作用するが、第２のロックブラケット１６は引張りスプリング２０によって矢印Ｃ方向の回転力が作用すると共に、第１のロックブラケット１０の嵌合凹部１０ｂと第２のロックブラケット１６の嵌合凸部１６ａとが嵌合するので、第１のロックブラケット１０は回転できない状態で固定され保持される。
【００５０】
このとき連結リンク２６の挿通孔２６ａとスタッド１８は接触していない状態になっている。
【００５１】
図１０は扉を開けたときの様子を示す概略側面図である。
【００５２】
図示しない鍵により、キーシリンダー３を図１０に示す矢印Ｊ方向に回転させると、キーシリンダー３と共にキーリンク２５が回転し、キーリンク２５によりスタッド２８が上方に持ち上げられ、それによって連結リンク２６が矢印Ｇ方向に移動（上昇）する。
【００５３】
このとき連結リンク２６の挿通孔２６ａの端部がスタッド１８に当接すると共に持ち上げるようになり、第２のロックブラケット１６が回転軸１７を中心に矢印Ｂ方向に回動するため、第２のロックブラケット１６の嵌合凸部１６ａが第１のロックブラケット１０の嵌合凹部１０ｂに嵌まっていた状態から外れ、第１のロックブラケット１０は引張りスプリング２１によって矢印Ｄ方向に回転する。
【００５４】
これによって、扉ロックポスト７ａが係止溝１０ａに嵌まって係止された状態から外れてその状態で係員が扉２を開こうとすると、扉ロックポスト７ａが係止溝１０ａから離れて図１０の矢印Ｌ方向に動き、扉２が開かれる。
【００５５】
第１のロックブラケット１０の凸部１０ｃが第２のロックブラケット１６の凹部１６ｂに嵌まることで、扉ロックポスト７ａが係止溝１０ａから外れた状態が維持されるようになる。
【００５６】
また、第２のロックブラケット１６の凹部１６ｂに嵌まった第１のロックブラケット１０の凸部１０ｃは、扉２が再び閉じられ、第１のロックブラケット１０に扉ロックポスト７ａが衝突することで、外れるようになっている。
【００５７】
図１１は扉が開かれてキーシリンダーから鍵が外されたときの扉ロック機構を示す説明図である。
【００５８】
図１１に示すようにキーシリンダー３の差込口が垂直の状態となったときに、差込口から鍵が抜けるようになる。このとき連結リンク２６は矢印Ｈ方向に移動、つまり下降して扉２が施錠されていた際の状態に戻る。このときに連結リンク２６の挿通孔２６ａの上端とスタッド１８とは接触せず隙間Ｎの分だけ間隔が開いた状態になる。
【００５９】
次に、扉２を閉めて扉２を施錠するには扉２を押し込む必要があり、扉２を押し込むことで扉ロックポスト７ａが第１のロックブラケット１０を押圧し、図１０で示す矢印Ｅ方向に第１のロックブラケット１０が回動する。
【００６０】
ここで、図１２は扉の開閉に伴う第１、第２のブラケットの動作を示す説明図であり、（ａ）は扉が開かれているときの第１、第２のブラケット１０、１６の状態を示し、（ｂ）は扉が閉じられ第１のブラケット１０の嵌合凹部１０ｂに第２のブラケット１６の嵌合凸部１６ａが嵌まる途中の状態を示し、（ｃ）は嵌合凹部１０ｂに嵌合凸部１６ａが嵌合した様子を示している。
【００６１】
図１２（ａ）の状態から第１のロックブラケット１０が回動すると、図１２（ｂ）に示すように凸部１０ｃが凹部１６ｂから離脱し、これにより第２のロックブラケット１６が上述した引張りスプリング２０によって矢印Ｃ方向に回動し、次に図１２（ｃ）に示すように第１のロックブラケット１０の嵌合凹部１０ｂに第２のロックブラケット１６の嵌合凸部１６ａが嵌まり扉２が施錠される。
【００６２】
以上説明したように、本実施例ではキーシリンダーを施錠して扉をロックするように構成したので、ソレノイドを用いる構成と比べてより安価で、かつ簡単なキー操作でロックを解除する扉ロック機構を実現することができる。
【実施例２】
【００６３】
本実施例では上述した実施例１における以下の問題点を解決するための手段を提供する。
【００６４】
上述した実施例１では、扉２の上部と下部に設けた２つのロック機構部４がそれぞれ独立しており、ロック機構部４で扉２をロック施錠するために扉２を押しこまなくてはならないので、押し込みが弱いと２箇所のうちの１箇所だけしかロックされないことがある。
【００６５】
例えば扉２の下側だけが施錠されて上側が施錠されない場合、扉２の上側を無理にこじ開けようとすると、図１３に示すように扉２が撓んでカセット本体１と扉２の間に隙間ができ、カセット本体１内部にアクセスでき、カセット本体１の中に装填されている紙幣が容易に取出されてしまう。
【００６６】
またその後、扉２の上側を押して施錠させると、カセット本体１および扉２に傷をつけたり、壊したりすること無く紙幣を抜き取ることができるので、通常の紙幣装填動作と区別ができない。よって操作ミスなどにより扉２の一部が施錠されなかった場合、不正に紙幣を抜き取られる可能性が有るという問題がある。
【００６７】
ここで、図１４は実施例２の扉ロック機構を示す説明図である。
【００６８】
なお、上記実施例１と同様の部分は同一の符号を付してその説明を省略する。
【００６９】
図１４において、４０は連結リンクであり、カセット本体１の図示されないフレームに固定され、矢印ＧおよびＨ方向（上下方向）に昇降可能に構成され、連結リンク４０の上部および下部に挿通孔４０ａ、４０ｂを形成し、その他の構成については上記実施例１と同等で有るので、説明を省略する。
【００７０】
挿通孔４０ａ、４０ｂは、上記実施例１の挿通孔２６ａ、２６ｂと同様に各第２のロックブラケット１６のスタッド１８が挿通する。
【００７１】
また図１４に示す扉２をロックしているときの第１のロックブラケット１０の凸部１０ｃと点線で示す扉２のロックを解除しているときの第１のロックブラケット１０の凸部１０ｃとの高さの差をＡとすると、挿通孔４０ａ、４０ｂの縦方向の長さは高さＡにスタッド１８の直径を加えた長さとする。
【００７２】
そのため、２つのロック機構部４が共に扉２をロックしているとき、挿通孔４０ａ、４０ｂに挿通する各スタッド１８は挿通孔４０ａ、４０ｂの下辺に接している状態となっている。
【００７３】
上記構成の作用について説明する。
【００７４】
ここで、図１５は実施例２の扉のロックを解除したときの扉ロック機構を示す説明図、図１６はロック解除のためにキーシリンダーを回転させた後の扉ロック機構を示す説明図である。
【００７５】
扉２を閉める動作および扉２のロックを解除する動作については上述した従来の扉ロック機構と同様であるのでその説明を省略する。
【００７６】
ここで、係員等が扉２のロックを解除するためにキーシリンダー３の差込口に差した鍵を図１５に示すＪ方向に回し、その鍵を差したまま手を離すと、リンク引張スプリング３０によりキーシリンダー３およびキーリンク２５は図１６で示す矢印Ｋ方向に回転する。これによりスタッド２８及び連結リンク４０は、図１６で示す矢印Ｈ方向に移動、つまり下降する。
【００７７】
このとき挿通孔４０ａ、４０ｂの縦方向の長さを連結リンク４０の移動範囲の長さよりも短くしているので、連結リンク４０が初期位置まで下降する前に挿通孔４０ａの上辺がスタッド１８にあたり、さらに挿通孔４０ｂの上辺がスタッド１８にあたって連結リンク４０の下降が途中で停止する。
【００７８】
連結リンク４０のスタッド２８がキーリンク２５の溝に嵌まっているために、連結リンク４０の下降が止まると、図１６に示すようにキーリンク２５についてはキーシリンダー３の差込口が垂直となる位置まで戻らないため、キーシリンダー３に差し込まれた鍵が抜けない状態となる。
【００７９】
図１７は下部のロック機構部のみがロックされた状態を示す概略側面図である。
【００８０】
ここで、カセット本体１を取扱う金融機関の係員が扉２が閉めると共に、その扉２をロックするために扉２を押し込んだ際に、仮に下側のロック機構部４だけがロックされた状態となった場合について説明する。
【００８１】
扉ロックポスト７ｂが図１７に示す矢印Ｍ方向に移動すると、扉ロックポスト７ｂは係止溝１０ａに入り込むようにして、下部に設けられたロック機構部４の第１のロックブラケット１０に当接し、第１のロックブラケット１０が回転軸１１を支点にして矢印Ｅ方向に回転する。
【００８２】
そのため、第１のロックブラケット１０の凸部１０ｃが第２のロックブラケット１６の凹部１６ｂから離脱し、第２のロックブラケット１６は引張りスプリング２０によって矢印Ｃ方向に回動し、第１のロックブラケット１０の嵌合凹部１０ｂに第２のロックブラケット１６の嵌合凸部１６ａが嵌合した状態となり、さらに扉ロックポスト７ｂは係止溝１０ａに嵌まることによってロックされ、これにより扉２の下側のみロックされた状態となる。
【００８３】
このとき扉２の押し込みが弱く扉ロックポスト７ａで上部の第１のロックブラケット１０を回転させることができないと、連結リンク４０の上部にある挿通孔４０ａの上辺にスタッド１０ａが当接して連結リンク４０が最下位までの下降が阻止された状態となる。
【００８４】
そのため、キーシリンダー３の差込口は、図１７に示すように垂直の向きから矢印Ｊ方向に傾いた状態で保持されるため、差込口に差し込まれている図示しない鍵はキーシリンダー３から抜けないようになる。
【００８５】
このように鍵がカセット本体１から抜けない状態とすることで、係員は扉２が完全にロックされていないことを認識でき、さらに鍵が邪魔になりカセット本体１を現金自動取引装置にセットすることができないため、図示されない鍵をカセット本体１から抜くためには、２箇所のロック機構部４で確実に扉２をロックする必要がある。
【００８６】
なお、上記説明においては、扉２の下側がロックされ、上側がロックされない場合を説明したが、扉２の上側がロックされ、下側がロックされない場合も同様である。
【００８７】
また、上記説明においてはロック機構部４を２箇所として説明したが、ロック機構部４は２箇所以上であってもよい。
【００８８】
以上説明したように、本実施例では、上記実施例１の効果に加えて、全てのロック機構部で扉側のスタッドを係止しないと、キーシリンダーの差込口に差し込まれた鍵が抜けないので、扉のロックをし忘れるという操作ミスを防止することができる。よって操作ミスなどから不正にカセット本体１から紙幣を抜き取られる可能性を防ぐことができる。
【００８９】
なお、上記各実施例においては現金自動取引装置に使用されるカセットについて適用した例で説明したが、鍵によって扉を開閉する構造のものには全て適用が可能である。
【００９０】
また、差込口の向きが垂直のときを基準にして、鍵の抜き差しができかつ連結リンクが最下位にあるものとして説明したが、差込口が水平のときに鍵の抜き差し、および連結リンクが最下位にあるものとしてもよい。
【符号の説明】
【００９１】
１    カセット本体
２    扉
３    キーシリンダー
４    ロック機構部
５ａ、５ｂ  扉ロックポストユニット
６ａ、６ｂ  ブラケット
７ａ、７ｂ  扉ロックポスト
８    回転支点軸
１０  第１のロックブラケット
１０ａ  係止溝
１０ｂ  嵌合凹部
１０ｃ  凸部
１１、１７  回転軸
１２、１８、２８  スタッド
１５  ベースブラケット
１６  第２のロックブラケット
１６ａ  嵌合凸部
１６ｂ  凹部
１７  回転軸
２０、２１  引張りスプリング
２５  キーリンク
２６、４０  連結リンク
２６ａ、２６ｂ、４０ａ、４０ｂ  挿通孔
２７  突出部
３０  リンク引張スプリング
【図１】
2011058187.tif 000003
【図２】
2011058187.tif 000004
【図３】
2011058187.tif 000005
【図４】
2011058187.tif 000006
【図５】
2011058187.tif 000007
【図６】
2011058187.tif 000008
【図７】
2011058187.tif 000009
【図８】
2011058187.tif 000010
【図９】
2011058187.tif 000011
【図１０】
2011058187.tif 000012
【図１１】
2011058187.tif 000013
【図１２】
2011058187.tif 000014
【図１３】
2011058187.tif 000015
【図１４】
2011058187.tif 000016
【図１５】
2011058187.tif 000017
【図１６】
2011058187.tif 000018
【図１７】
2011058187.tif 000019